(57)【特許請求の範囲】
【請求項１】
燃料ポンプ部と燃料フィルタ部とを一体化して、フィルタ付ポンプを構成し、燃料タンクの上面に形成した燃料タンク開口へ取付け可能な燃料タンク蓋体と、前記フィルタ付ポンプとの間にワンタッチ取付部を設けて、両者をワンタッチで取付け得るようにし、
ワンタッチ取付部を、フィルタ付ポンプの側部に形成された係止用爪部と、燃料タンク蓋体から突出形成された、フィルタ付ポンプを支持可能なフィルタ付ポンプ支持壁と、フィルタ付ポンプ支持壁先端から延設されたフィルタ付ポンプ取付部と、フィルタ付ポンプ取付部に形成された、前記係止用爪部を係止可能な係止用穴部とで構成し、
フィルタ付ポンプ取付部に、フィルタ付ポンプの挿入方向へ延びて係止用穴部が形成された係止用片部と係止用穴部が形成されていない案内片部とに分断する複数の切込部を形成し、
フィルタ付ポンプの側部に、フィルタ付ポンプ支持壁先端の切込部を案内して、燃料タンク蓋体に貫通配置された燃料吐出流路部下端のジョイント部と燃料フィルタ部の吐出口とが結合されるよう位置合せを行うガイド体を形成し、
フィルタ付ポンプ支持壁の一部に、前記フィルタ付ポンプの挿入を案内し且つ組立て後にフィルタ付ポンプを保持させるための案内保持部を有する液量計を取付けたことを特徴とする燃料タンク蓋体ユニット。
【請求項２】
フィルタ付ポンプを、円柱状をした燃料ポンプ部の外周に筒状の燃料フィルタ部を同心状に外嵌して一体化した構造としたことを特徴とする請求項１記載の燃料タンク蓋体ユニット。
【請求項３】
燃料タンク蓋体の裏面に突出形成されたフィルタ付ポンプ支持壁に、補強リブを形成したことを特徴とする請求項１または２記載の燃料タンク蓋体ユニット。
【発明の詳細な説明】
【０００１】
【発明の属する技術分野】
この発明は、主に内燃機関へ供給する燃料を貯留するための燃料タンクに取付けられる燃料タンク蓋体ユニットに関するものである。
【０００２】
【従来の技術】
自動車などの車両には、一般に、図８に示すように、エンジンなどの内燃機関１の燃料２を貯留するために、燃料タンク３が取付けられており、該燃料タンク３には、燃料２を吸上げてエンジンなどの内燃機関１へ送るための燃料ポンプ４が取付けられている。又、該燃料ポンプ４には、その吐出側に、燃料２に含まれる異物をろ過除去するために、円柱状をした比較的大きな燃料フィルタ５が接続されている。
【０００３】
そして、燃料タンク蓋体６に対して、前記円柱状をした燃料フィルタ５が、その一部を燃料タンク３の外部へ露出するように取付けられ、該燃料フィルタ５の燃料タンク３内の部分に、前記燃料ポンプ４が、燃料フィルタ５とは軸線をずらせた状態で付設されて、燃料タンク蓋体ユニット７を構成している。該燃料タンク蓋体ユニット７は、燃料ポンプ４と燃料フィルタ５の部分を、燃料タンク３の上面に形成された燃料タンク開口８から燃料タンク３の内部へ挿入させ、燃料タンク蓋体６によって燃料タンク開口８を閉止させるようにして取付けられている。
【０００４】
尚、図中、９は燃料フィルタ５に取付けられた、燃料２の供給圧を調整するためのプレッシャレギュレータ、１０は燃料ポンプ４の吸入側に取付けられた、燃料２に含まれる比較的大きな異物を除去するための吸入側フィルタである。
【０００５】
斯かる構成によれば、燃料ポンプ４を駆動することにより、燃料タンク３に貯留された燃料２が吸上げられて、図示しないエンジンなどの内燃機関１へ送られ、途中、燃料ポンプ４の吸入側に取付けられた吸入側フィルタ１０によって、燃料ポンプ４に吸上げられる前の燃料２に含まれる比較的大きな異物が除去され、燃料ポンプ４の吐出側に取付けられた円柱状の比較的大きな燃料フィルタ５によってエンジンなどの内燃機関１に送られる燃料２に含まれる異物が本格的にろ過除去されるようになっている。
【０００６】
又、燃料フィルタ５に取付けられたプレッシャレギュレータ９によって、燃料２の供給圧が調整される。
【０００７】
【発明が解決しようとする課題】
しかしながら、このような従来の燃料タンク蓋体ユニットには、以下のような問題があった。
【０００８】
即ち、従来の燃料タンク蓋体ユニット７では、燃料タンク蓋体６に対して燃料フィルタ５を取付け、燃料フィルタ５に対して軸線をずらせた状態で燃料ポンプ４を付設して、燃料タンク蓋体ユニット７を構成しているが、このような構造としているのは、燃料タンク蓋体６に対する燃料フィルタ５の取付け、および、燃料フィルタ５に対する燃料ポンプ４の接続および取付けを、目視しながら行い得るようにするためである。
【０００９】
しかるに、燃料タンク蓋体６に対して燃料フィルタ５を取付け、燃料フィルタ５に対して軸線をずらせた状態で燃料ポンプ４を付設して、燃料タンク蓋体ユニット７を構成すると、燃料タンク蓋体ユニット７を燃料タンク３の内部へ挿入させるための燃料タンク開口８を、その分、大きなものとせざるを得なかったり、また挿入途中でユニットの挿入方向を変え、お互いにぶつかり合うことのないように注意深く挿入しなくてはならず、組付け作業性が悪いという問題がある。
【００１０】
そこで、本発明の目的は、上記の問題点を解消し、燃料タンク開口を大きくせずに、燃料タンク蓋体と燃料ポンプとの組付け作業性の改善を図ることのできる燃料タンク蓋体ユニットを提供することにある。
【００１１】
【課題を解決するための手段】
上記課題を解決するために、請求項１に記載された発明では、燃料ポンプ部と燃料フィルタ部とを一体化して、フィルタ付ポンプを構成し、燃料タンクの上面に形成した燃料タンク開口へ取付け可能な燃料タンク蓋体と、前記燃料タンク蓋体とフィルタ付ポンプとの間にワンタッチ取付部を設けて、両者をワンタッチで取付け得るようにしたことを特徴としている。
【００１２】
このように構成された請求項１にかかる発明では、高い組付け性を確保することが可能となる。
又、請求項１に記載された発明では、ワンタッチ取付部を、フィルタ付ポンプの側部に形成された係止用爪部と、燃料タンク蓋体から突出形成された、フィルタ付ポンプを支持可能なフィルタ付ポンプ支持壁と、フィルタ付ポンプ支持壁先端から延設されたフィルタ付ポンプ取付部と、フィルタ付ポンプ取付部に形成された、前記係止用爪部を係止可能な係止用穴部とで構成したことを特徴としている。
このように構成された請求項１にかかる発明では、フィルタ付ポンプ取付部にフィルタ付ポンプを嵌合して、係止用爪部と係止用穴部とを係止させることにより、容易にフィルタ付ポンプと燃料タンク蓋体とを組立てることができる。
更に、請求項１に記載された発明では、フィルタ付ポンプ取付部に、フィルタ付ポンプの挿入方向へ延びて係止用穴部が形成された係止用片部と係止用穴部が形成されていない案内片部とに分断する複数の切込部を形成したことを特徴としている。
このように構成された請求項１にかかる発明では、フィルタ付ポンプ取付部が径方向へ拡開して容易にフィルタ付ポンプ支持壁先端にフィルタ付ポンプを嵌合することが可能となる。
そして、請求項１に記載された発明では、フィルタ付ポンプの側部に、フィルタ付ポンプ支持壁先端の切込部を案内して、燃料タンク蓋体に貫通配置された燃料吐出流路部下端のジョイント部と燃料フィルタ部の吐出口とが結合されるよう位置合せを行うガイド体を形成したことを特徴としている。
このように構成された請求項１にかかる発明では、フィルタ付ポンプの側部に形成されたガイド体と、前記フィルタ付ポンプ支持壁先端に形成された切込部との間で、周方向の位置合せ機能を発揮させることができ、燃料タンク蓋体とフィルタ付ポンプを嵌合するに際し、燃料タンク蓋体に貫通配置された燃料吐出流路部下端のジョイント部と、料フィルタ部の出口とを、目視できない状態でも確実に結合させることができる。
更に、請求項１に記載された発明では、フィルタ付ポンプ支持壁の一部に、前記フィルタ付ポンプの挿入を案内し且つ組立て後にフィルタ付ポンプを保持させるための案内保持部を有する液量計を取付けたことを特徴としている。
このように構成された請求項１にかかる発明では、組立て時にフィルタ付ポンプの挿入を案内し且つ組立て後にフィルタ付ポンプを保持させるようにすることができる。
【００１３】
請求項２に記載された発明では、フィルタ付ポンプを、円柱状をした燃料ポンプ部の外周に筒状の燃料フィルタ部を同心状に外嵌して一体化した構造としたことを特徴としている。
【００１４】
このように構成された請求項２にかかる発明では、全体をコンパクトな円柱状にまとめることが可能となり、その分、燃料タンク開口を小型化することが可能となる。
【００１７】
請求項３に記載された発明では、燃料タンク蓋体の裏面に突出形成されたフィルタ付ポンプ支持壁に、補強リブを形成したことを特徴としている。
【００１８】
このように構成された請求項３にかかる発明では、フィルタ付ポンプを支持するのに必要な剛性を無理なく確保することが可能となる。
【００２５】
【発明の実施の形態１】
以下、本発明の具体的な実施の形態１について、図面を参照しつつ説明する。
【００２６】
図１ないし図７は、この発明の実施の形態１を示すものである。なお、前記従来例と同一ないし均等な部分については、同一の符号を付して説明する。
【００２７】
まず、構成を説明すると、この実施の形態１のものでは、図４に示すように、燃料２を吸上げてエンジンなどの内燃機関へ送るための燃料ポンプ部１１と、燃料２に含まれる異物を除去するための燃料フィルタ部１２とを一体化して、円柱状のフィルタ付ポンプ１３を構成している。
【００２８】
該円柱状のフィルタ付ポンプ１３は、詳細には、円柱状をした燃料ポンプ部１１の外周に筒状の燃料フィルタ部１２を同心状に外嵌して一体化した構造を備えており、一体物として製造される。上記燃料フィルタ部１２は、通常、エンジンの吸入側に設けられるものであるが、このフィルタ付ポンプ１３を用いることにより、エンジンに別途、燃料フィルタを設ける必要をなくすことができる。
【００２９】
そして、上記フィルタ付ポンプ１３における、燃料ポンプ部１１の吐出口１４とフィルタ付ポンプ１３のフィルタ１２への入口１５とを、連結流路１６によって連結する。
【００３０】
一方、図示しない燃料タンクの上面に形成した燃料タンク開口を閉止可能な燃料タンク蓋体１７を設け、該燃料タンク蓋体１７に、燃料吐出流路部１８と燃料リターン流路部１９とを貫通配置する。
【００３１】
そして、上記燃料タンク蓋体１７とフィルタ付ポンプ１３との間に、ワンタッチ取付部２０を設け、両者をワンタッチで取付けて燃料タンク蓋体ユニット２１を構成し得るようにする。該ワンタッチ取付部２０は、以下のような構造を備えている。
【００３２】
即ち、先ず、燃料タンク蓋体１７の裏面（燃料タンク内方部分）に、燃料吐出流路部１８と燃料リターン流路部１９とを包囲するように、円筒状あるいは部分円筒状のフィルタ付ポンプ支持壁２２を、燃料タンクに対する燃料タンク蓋体ユニット２１の挿入方向２３へ向けて突出形成する。
【００３３】
そして、前記燃料タンク蓋体１７裏面に形成されたフィルタ付ポンプ支持壁２２を、内径が前記フィルタ付ポンプ１３の外径とほぼ等しくなるようにする。更に、該フィルタ付ポンプ支持壁２２には、フィルタ付ポンプ１３を支持するのに必要な剛性を確保するため、その周縁部に、前記挿入方向２３へ延びる複数本の補強リブ２４を一体形成する。
【００３４】
又、前記フィルタ付ポンプ支持壁２２の先端側（図では下端側）に、フィルタ付ポンプ１３を嵌合係止可能なフィルタ付ポンプ取付部２５を形成する。そして、前記フィルタ付ポンプ１３側部の周方向複数箇所に係止用爪部２６を形成し、前記フィルタ付ポンプ取付部２５の対応する位置に、前記係止用爪部２６を係止させる係止用穴部２７を複数形成する。ここで、本実施の形態１においては、フィルタ付ポンプ取付部２５は、フィルタ付ポンプ支持壁２２のうち、補強リブ２４が設けられた位置に形成されている。
【００３５】
さらに、前記フィルタ付ポンプ支持壁２２のフィルタ付ポンプ取付部２５に、先端から前記挿入方向２３へ延びる複数のスリット状の切込部２８を形成して、フィルタ付ポンプ取付部２５を、前記係止用穴部２７が形成された係止用片部２９と、前記係止用穴部２７が形成されていない案内片部３０などに分断し、フィルタ付ポンプ１３を嵌合する際に、フィルタ付ポンプ取付部２５が径方向へ容易に拡開し、かつ案内保持し得るようにする。
【００３６】
又、前記フィルタ付ポンプ１３の側部における、前記切込部２８に対応する位置にガイド体３１を形成し、該ガイド体３１と切込部２８とを位置合せして燃料タンク蓋体１７とフィルタ付ポンプ１３を嵌合することにより、燃料タンク蓋体１７に貫通配置された前記燃料吐出流路部１８下端のジョイント部３２と、前記燃料フィルタ部１２の吐出口３３とが確実に結合されるように、前記燃料吐出流路部１８下端のジョイント部３２と、前記燃料フィルタ部１２の吐出口３３の配置を設定する。
【００３７】
前記フィルタ付ポンプ１３の側部に形成するガイド体３１は、図６に示すように、前記案内片部３０を包持した状態で差込み可能なチャンネル状物としても、又、図７に示すように、前記挿入方向２３へ延びる突起状物としても良い。
【００３８】
更に、フィルタ付ポンプ支持壁２２を部分円筒状とした場合には、円筒形状の欠落部分３４に、液量計３５を取付けることができる。該液量計３５は、燃料タンク蓋体１７に対する取付部３６と、可変抵抗器などからなる検出部３７と、フロート部３８と、検出部３７から延びてフロート部３８に接続されるアーム部３９とで主に構成されており、燃料タンク蓋体１７の前記欠落部分３４に一体形成された取付座４０に対し取付部３６を当接固定あるいは挿入固定するなどして、フィルタ付ポンプ１３と燃料タンク蓋体１７との組付け前に予め取付けておくようにする。この際、液量計３５の取付部３６を前記挿入方向２３へ延長し、取付部３６の背面に円筒面状やＶ溝状の案内面を形成して、前記フィルタ付ポンプ１３の挿入を案内し且つ組立て後にフィルタ付ポンプ１３を保持するための、案内保持部４１としても良い。
【００３９】
尚、図１中、４２は燃料吐出流路部１８下端のジョイント部３２に取付けられるＯリンクなどのシール、４３は燃料タンク蓋体１７に設けられた蓋部給電用コネクタ、４７はフィルタハウジングで、下部周壁４８が二重壁４８ａ、４８ｂで形成され、その下端が底部材４７ｃで閉塞されており、その二重壁４７ａ、４７ｂ間に前記フィルタ１２が収納されている。また、前記下部４８の内側に形成された円筒状空間内に前記燃料ポンプ１１が下方から挿入され、その燃料ポンプ１１が脱落しないように下方から前記ポンプ支持部材４４によって閉塞されている。４４はフィルタ付ポンプ１３の底部に取付けられるポンプ支持部材、４６は燃料２の供給圧を調整するためのプレッシャレギュレータ、図５中、４５はフィルタ付ポンプ１３に設けられたポンプ部給電用コネクタである。
【００４０】
次に、この実施の形態１の作動について、図１を用いながら説明する。
【００４１】
先ず、燃料タンク蓋体ユニットの組み立て要領について説明する。
【００４２】
フィルタ付ポンプ１３の側部に形成された前記ガイド体３１と、燃料タンク蓋体１７のフィルタ付ポンプ取付部２５に形成された前記切込部２８とを周方向に位置合せして、燃料タンク蓋体１７とフィルタ付ポンプ１３を嵌合し、フィルタ付ポンプ１３側部の周方向複数箇所に形成された係止用爪部２６と、前記フィルタ付ポンプ取付部２５の対応する位置に複数形成された係止用穴部２７とを係止させる。
【００４３】
これにより、前記円筒状あるいは部分円筒状のフィルタ付ポンプ支持壁２２の内側に隠れて目視できない状態となる、前記燃料フィルタ部１２の出口３３と、燃料タンク蓋体１７に貫通配置された前記燃料吐出流路部１８下端のジョイント部３２とが確実に結合されて燃料タンク蓋体ユニット２１が組み立てられる。
【００４４】
そして、組み立てられた燃料タンク蓋体ユニット２１のフィルタ付ポンプ１３部分を、燃料タンクの上面に形成された燃料タンク開口へ挿入し、燃料タンク蓋体ユニット２１の燃料タンク蓋体１７で燃料タンク開口を閉止する。
【００４５】
次に、組み立てられた燃料タンク蓋体ユニット２１における燃料２の流れについて説明する。
【００４６】
図４に示すように、フィルタ付ポンプ１３の燃料ポンプ部１１を駆動すると、燃料タンク内の燃料２は、矢印で示されるように燃料ポンプ部１１の吸入側に取付けられた吸入側フィルタ１０を通して吸入され、吸入側フィルタ１０によって、燃料２に含まれる比較的大きな異物が除去される。そして、燃料ポンプ部１１の吐出口１４から吐出された燃料２は、矢印のように連結流路１６を介して燃料ポンプ部１１の外周に設けられた燃料フィルタ部１２の入口１５へと送られ、該入口１５から燃料フィルタ部１２内へ入り、燃料フィルタ部１２を燃料ポンプ部１１の外周を周回するように流れつつろ材を透過することにより、燃料２に含まれる異物が本格的にろ過除去される。燃料フィルタ部１２の出口３３を出た燃料２は、矢印のようにジョイント部３２を介して燃料タンク蓋体１７に貫通配置された燃料吐出流路部１８へ入る。その後、燃料２は、燃料吐出流路部１８から図示しない燃料ホースを介してエンジンなどの内燃機関へと送られる。尚、図４では、説明の便宜上、連結流路１６と燃料フィルタ部１２の出口３３の位置関係を他の図と変えている。
【００４７】
以上述べたように、本発明では、燃料ポンプ部１１と燃料フィルタ部１２とを一体化して、円柱状のフィルタ付ポンプ１３を構成し、燃料タンクの上面に形成した燃料タンク開口へ取付け可能な燃料タンク蓋体１７と、前記フィルタ付ポンプ１３との間にワンタッチ取付部２０を設けて、両者をワンタッチで取付け得るようにしているので、高い組付け作業性を確保することが可能となる。
【００４８】
この際、フィルタ付ポンプ１３を、図４に示すように、円柱状をした燃料ポンプ部１１の外周に筒状の燃料フィルタ部１２を同心状に外嵌して一体化した構造としたので、全体をコンパクトな円柱状にまとめることが可能となり、燃料タンク開口がフィルタ付きポンプ１３又は燃料タンク蓋体１７のフィルタ付きポンプ支持壁２２の何れか大きい方の径に合わせておくことによって済み、その分、燃料タンク開口を小径にすることが可能となる。
【００４９】
そして、ワンタッチ取付部２０を、フィルタ付ポンプ１３の側部に形成された係止用爪部２６と、燃料タンク蓋体１７から突出形成された、フィルタ付ポンプ１３を支持可能なフィルタ付ポンプ支持壁２２と、フィルタ付ポンプ支持壁２２先端から延設されたフィルタ付ポンプ取付部２５と、フィルタ付ポンプ取付部２５に形成された、前記係止用爪部２６を係止可能な係止用穴部２７とで構成したので、フィルタ付ポンプ取付部２５にフィルタ付ポンプ１３を嵌合して、係止用爪部２６と係止用穴部２７とを係止させることにより、容易にフィルタ付ポンプ１３と燃料タンク蓋体１７とを組立てることができる。
【００５０】
又、燃料タンク蓋体１７の裏面（燃料タンク内方部分）に突出形成された円筒状あるいは部分円筒状のフィルタ付ポンプ支持壁２２に、複数本の補強リブ２４を形成したので、フィルタ付ポンプ１３を支持するのに必要な剛性を無理なく確保することが可能となる。特に、本実施の形態１においては、補強リブ２４は、フィルタ付ポンプ取付部２５が形成された位置に設けられているので、フィルタ付ポンプ１３の支持剛性が特に要求されるフィルタ付ポンプ取付部２５付近のフィルタ付ポンプ支持壁２２部分の剛性を効果的に確保することができる。
【００５１】
さらに、前記フィルタ付ポンプ支持壁２２先端のフィルタ付ポンプ取付部２５に、前記挿入方向２３へ延びる複数の切込部２８を形成して、前記係止用穴部２７が形成された係止用片部２９と、前記係止用穴部２７が形成されていない案内片部３０とに分断しているので、フィルタ付ポンプ取付部２５が径方向へ拡開して容易にフィルタ付ポンプ支持壁２２先端にフィルタ付ポンプ１３を嵌合することが可能となる。
【００５２】
しかも、前記フィルタ付ポンプ支持壁２２先端に形成された切込部２８は、前記フィルタ付ポンプ１３の側部に形成されたガイド体３１との間で周方向の位置合せ機能を発揮させることができ、燃料タンク蓋体１７とフィルタ付ポンプ１３を嵌合するに際し、燃料タンク蓋体１７に貫通配置された前記燃料吐出流路部１８下端のジョイント部３２と、前記燃料フィルタ部１２の出口３３とを、目視できない状態でも確実に結合させることができる。
【００５３】
加えて、部分円筒状のフィルタ付ポンプ支持壁２２における円筒形状の欠落部分３４に液量計３５を取付けた場合には、液量計３５の取付部３６を延長して案内保持部４１を形成し、取付部３６の背面に円筒面状やＶ溝状の案内面を形成しておくことにより、組立て時に前記フィルタ付ポンプ１３の挿入を案内し且つ組立て後にフィルタ付ポンプ１３を保持させるようにすることができる。
【００５４】
また、フィルタ付ポンプ１３と燃料タンク蓋体１７の組立て時に、液量計３５を外しておけば、前記欠落部分３４から、前記燃料吐出流路部１８下端のジョイント部３２と、前記燃料フィルタ部１２の出口３３とを、目視しながら嵌着させることが出来るので、更に取り付け性が良好である。
【００５５】
以上、この発明の実施の形態１を図面により詳述してきたが、具体的な構成はこの実施の形態１に限らず、この発明の要旨を逸脱しない範囲の設計の変更等があってもこの発明に含まれる。例えば、この実施の形態１では、フィルタ付きポンプ１３を円柱状をした燃料ポンプ部１１の外周に筒状の燃料フィルタ部１２を同心状に外嵌して一体化した構造として、全体をコンパクトな円柱状にまとめているが特にこれに限らず、前記燃料吐出流路部１８下端のジョイント部３２と、燃料ポンプ部１１との間に、燃料フィルタ部１２を位置させる縦列配置等であっても、燃料ポンプ部１１と、燃料フィルタ部１２とを予め一体に形成して、前記燃料タンク蓋体１７に取り付けるものであるならば、どのような配置構造であってもよい。
【００５６】
【発明の効果】
以上説明してきたように、請求項１の発明によれば、燃料ポンプ部と燃料フィルタ部とを一体化して、円柱状のフィルタ付ポンプを構成し、燃料タンクの上面に形成した燃料タンク開口へ取付け可能な燃料タンク蓋体と、前記フィルタ付ポンプとの間にワンタッチ取付部を設けて、両者をワンタッチで取付け得るようにしているので、高い組付け性を確保することが可能となる。
又、請求項１の発明によれば、ワンタッチ取付部を、フィルタ付ポンプの側部に形成された係止用爪部と、燃料タンク蓋体から突出形成された、フィルタ付ポンプを支持可能なフィルタ付ポンプ支持壁と、フィルタ付ポンプ支持壁先端から延設されたフィルタ付ポンプ取付部と、フィルタ付ポンプ取付部に形成された、前記係止用爪部を係止可能な係止用穴部とで構成したので、フィルタ付ポンプ取付部にフィルタ付ポンプを嵌合して、係止用爪部と係止用穴部とを係止させることにより、容易にフィルタ付ポンプと燃料タンク蓋体とを組立てることができる。
又、請求項１の発明によれば、前記フィルタ付ポンプ支持壁先端のフィルタ付ポンプ取付部に、前記挿入方向へ延びる複数の切込部を形成しているので、フィルタ付ポンプ取付部が径方向へ拡開して容易にフィルタ付ポンプ支持壁先端にフィルタ付ポンプを嵌合することが可能となる。
又、請求項１の発明によれば、前記フィルタ付ポンプの側部に形成されたガイド体と、前記フィルタ付ポンプ支持壁先端に形成された切込部との間で、周方向の位置合せ機能を発揮させることができ、燃料タンク蓋体とフィルタ付ポンプを嵌合するに際し、燃料タンク蓋体に貫通配置された燃料吐出流路部下端のジョイント部と、燃料フィルタ部の出口とを、目視できない状態でも確実に結合させることができる。
又、請求項１の発明によれば、フィルタ付ポンプ支持壁に液量計を取付けた場合には、液量計に案内保持部を形成しておくことにより、組立て時に前記フィルタ付ポンプの挿入を案内し且つ組立て後にフィルタ付ポンプを保持させるようにすることができる。
【００５７】
又、請求項２の発明によれば、フィルタ付ポンプを、円柱状をした燃料ポンプ部の外周に筒状の燃料フィルタ部を同心状に外嵌して一体化した構造としたので、全体をコンパクトな円柱状にまとめることが可能となり、その分、燃料タンク開口を小型化することが可能となる。
【００５９】
又、請求項３の発明によれば、燃料タンク蓋体の裏面に突出形成された円筒状あるいは部分円筒状のフィルタ付ポンプ支持壁に、補強リブを形成したので、フィルタ付ポンプを支持するのに必要な剛性を無理なく確保することが可能となる。
【図面の簡単な説明】
【図１】本発明の実施の形態１の分解側面図である。
【図２】図１の組み立て図である。
【図３】図２のＩＩＩ−ＩＩＩ矢視図である。
【図４】図３のフィルタ付ポンプの断面図である。
【図５】図４のＶ−Ｖ矢視図である。
【図６】ガイド体を示す図１のＶＩＩ−ＶＩＩ矢視図である。
【図７】ガイド体の他の例を示す図６と同様の図である。
【図８】従来例の図である。
【符号の説明】
１１    燃料ポンプ部
１２    燃料フィルタ部
１３    フィルタ付ポンプ
１７    燃料タンク蓋体
２０    ワンタッチ取付部
２２    フィルタ付ポンプ支持壁
２３    挿入方向
２４    補強リブ
２６    係止用爪部
２７    係止用穴部
２８    切込部
３１    ガイド体
３５    液量計
４１    案内保持部
【図１】
0003573953.tif 000002
【図２】
0003573953.tif 000003
【図３】
0003573953.tif 000004
【図４】
0003573953.tif 000005
【図５】
0003573953.tif 000006
【図６】
0003573953.tif 000007
【図７】
0003573953.tif 000008
【図８】
0003573953.tif 000009